(57)【要約】【課題】熱電変換デバイス及びセンサシステムにおいて発電力の低下を抑制すること。【解決手段】人体に接触して水分を吸着する吸着体２と、吸着体２に吸着された水分が流通する第１の浸透膜３と、第１の面７ｃと、第１の浸透膜３により画定された第２の面３ａと、第３の面１０ａとを有し、水溶液Eを収容した部屋４と、一方の面が第３の面１０ａを画定し、他方の面が大気に曝された透湿膜１０と、第１の面７ｃに熱的に接触した低温側電極１１と、人体に熱的に接触する高温側電極１２とを有する熱電変換素子２０とを備えた熱電変換デバイス１による。【選択図】図１
2014135408.tif 000002
【特許請求の範囲】
【請求項１】
人体に接触して水分を吸着する吸着体と、
前記吸着体に吸着された水分が流通する第１の浸透膜と、
第１の面と、前記第１の浸透膜により画定された第２の面と、第３の面とを有し、水溶液を収容した部屋と、
一方の面が前記第３の面を画定し、他方の面が大気に曝された透湿膜と、
前記第１の面に熱的に接触した低温側電極と、人体に熱的に接触する高温側電極とを有する熱電変換素子と、
を備えた熱電変換デバイス。
【請求項２】
前記部屋内に設けられ、前記水溶液を保持する多孔質体を更に有することを特徴とする請求項１に記載の熱電変換デバイス。
【請求項３】
前記第１の浸透膜を介して前記部屋と隔てられ、水を蓄えるリザーバと、
前記リザーバと前記吸着体とを隔てる第２の浸透膜とを更に有し、
前記リザーバが、該リザーバの容積を増大させる方向に付勢された可動面を有し、該リザーバの内側が気密にされた請求項１又は請求項２に記載の熱電変換デバイス。
【請求項４】
熱電変換デバイスと、
前記熱電変換デバイスにより得られた電力によって駆動し、ユーザに関する情報を含むセンサ信号を出力するセンサと、
前記センサ信号を無線送信するアンテナとを有し、
前記熱電変換デバイスが、
人体に接触して水分を吸着する吸着体と、
前記吸着体に吸着された水分が流通する第１の浸透膜と、
第１の面と、前記第１の浸透膜により画定された第２の面と、第３の面とを有し、水溶液を収容した部屋と、
一方の面が前記第３の面を画定し、他方の面が大気に曝された透湿膜と、
前記第１の面に熱的に接触した低温側電極と、人体に熱的に接触する高温側電極とを有する熱電変換素子とを備えたセンサシステム。
【請求項５】
熱電変換デバイスと、
前記熱電変換デバイスにより得られた電力によって駆動し、ユーザに関する情報を含むセンサ信号を出力するセンサと、
前記センサ信号を記憶する記憶部とを有し、
前記熱電変換デバイスが、
人体に接触して水分を吸着する吸着体と、
前記吸着体に吸着された水分が流通する第１の浸透膜と、
第１の面と、前記第１の浸透膜により画定された第２の面と、第３の面とを有し、水溶液を収容した部屋と、
一方の面が前記第３の面を画定し、他方の面が大気に曝された透湿膜と、
前記第１の面に熱的に接触した低温側電極と、人体に熱的に接触する高温側電極とを有する熱電変換素子とを備えたセンサシステム。
【発明の詳細な説明】
【技術分野】
【０００１】
本発明は、熱電変換デバイス及びセンサシステムに関する。
【背景技術】
【０００２】
健康志向の高まりにより、ユーザの生体情報を測定してそれをユーザの健康維持に役立てる仕組みが検討されている。生体情報を測定するデバイスには様々なものがあるが、ユーザの人体に継続的に装着されるウエアラブルデバイスは、ユーザの生体情報の経時変化を観察するのに有用である。
【０００３】
ウエアラブルデバイスには体温等の生体情報を測定するためのセンサが設けられる。そのセンサを駆動するための電源としては、充電が不要で小型化にも有利な熱電変換デバイスを使用するのが好ましい。
【０００４】
熱電変換デバイスを使用する場合、その高温側電極を皮膚に接触させると共に、汗の気化熱で低温側電極を冷却することによりこれらの電極間に起電力を生じさせることができる。
【０００５】
しかし、夏季等のように外気温が高い場合には、高温側電極と低温側電極との温度差が低減して熱電変換デバイスの発電量が低下してしまう。
【０００６】
また、汗の気化熱を利用する熱電変換デバイスには汗を流通させるための細孔を設ける必要があるが、汗の塩分が析出するとその細孔が塞がり、熱電変換デバイスの発電力が更に低下するおそれもある。
【先行技術文献】
【特許文献】
【０００７】
【特許文献１】特開２０１０−１７０１８１号公報
【特許文献２】特開平１１−２２０２８１号公報
【特許文献３】特開２０１２−５９９１９号公報
【発明の概要】
【発明が解決しようとする課題】
【０００８】
熱電変換デバイス及びセンサシステムにおいて発電量の低下を抑制することを目的とする。
【課題を解決するための手段】
【０００９】
以下の開示の一観点によれば、人体に接触して水分を吸着する吸着体と、前記吸着体に吸着された水分が流通する第１の浸透膜と、第１の面と、前記第１の浸透膜により画定された第２の面と、第３の面とを有し、水溶液を収容した部屋と、一方の面が前記第３の面を画定し、他方の面が大気に曝された透湿膜と、前記第１の面に熱的に接触した低温側電極と、人体に熱的に接触する高温側電極とを有する熱電変換素子とを備えた熱電変換デバイスが提供される。
【００１０】
また、その開示の別の観点によれば、熱電変換デバイスと、前記熱電変換デバイスにより得られた電力によって駆動し、ユーザに関する情報を含むセンサ信号を出力するセンサと、前記センサ信号を無線送信するアンテナとを有し、前記熱電変換デバイスが、人体に接触して水分を吸着する吸着体と、前記吸着体に吸着された水分が流通する第１の浸透膜と、第１の面と、前記第１の浸透膜により画定された第２の面と、第３の面とを有し、水溶液を収容した部屋と、一方の面が前記第３の面を画定し、他方の面が大気に曝された透湿膜と、前記第１の面に熱的に接触した低温側電極と、人体に熱的に接触する高温側電極とを有する熱電変換素子とを備えたセンサシステムが提供される。
【００１１】
更に、その開示の他の観点によれば、熱電変換デバイスと、前記熱電変換デバイスにより得られた電力によって駆動し、ユーザに関する情報を含むセンサ信号を出力するセンサと、前記センサ信号を記憶する記憶部とを有し、前記熱電変換デバイスが、人体に接触して水分を吸着する吸着体と、前記吸着体に吸着された水分が流通する第１の浸透膜と、第１の面と、前記第１の浸透膜により画定された第２の面と、第３の面とを有し、水溶液を収容した部屋と、一方の面が前記第３の面を画定し、他方の面が大気に曝された透湿膜と、前記第１の面に熱的に接触した低温側電極と、人体に熱的に接触する高温側電極とを有する熱電変換素子とを備えたセンサシステムが提供される。
【発明の効果】
【００１２】
以下の開示によれば、吸着体の水分と部屋内の水溶液との浸透圧差で水分が第１の透過膜を透過し、その水分の気化熱によって熱電変換素子における温度差を維持できるため、夏季等において熱電変換素子の発電量が低下するのを抑制できる。
【図面の簡単な説明】
【００１３】
【図１】図１は、第１実施形態に係る熱電変換デバイスの断面図である。
【図２】図２は、第１実施形態に係る熱電変換デバイスの平面図である。
【図３】図３は、第２実施形態に係る熱電変換デバイスの断面図である。
【図４】図４は、第３実施形態に係る熱電変換デバイスの断面図である。
【図５】図５（ａ）、（ｂ）は、第３実施形態に係る熱電変換デバイスの動作について説明するための断面図である。
【図６】図６は、第４実施形態に係るセンサシステムの機能ブロック図である。
【図７】図７は、第４実施形態の別の例に係るセンサシステムの機能ブロック図である。
【発明を実施するための最良の形態】
【００１４】
（第１実施形態）
図１は、本実施形態に係る熱電変換デバイスの断面図である。
【００１５】
この熱電変換デバイス１は、人体の皮膚Sに密着させて使用するものであって、樹脂や金属を材料とする筐体７を有する。
【００１６】
その筐体７には部屋４と容器６が設けられており、その容器６の中に水分を吸着する吸着体２が脱着可能な状態で保持される。容器６には第１の開口７ａと第２の開口７ｂとが設けられ、その第１の開口７ａを介して吸着体２が皮膚Sと接触し、第２の開口７ｂを介して吸着体２が大気に曝される。
【００１７】
吸着体２は、皮膚Sから出た汗や、第２の開口７ｂから供給される水を吸着するものであり、例えばスポンジやウィックを吸着体２として使用し得る。
【００１８】
また、その吸着体２に吸着された水分は、容器６の側部に設けられた第１の浸透膜３を流通して部屋４に至る。その水分の流通を促すために、第１の浸透膜３に接するように吸着体２を設けるのが好ましい。
【００１９】
第１の浸透膜３は半透膜又は逆浸透膜であって、本実施形態では第１の浸透膜３として日東電工社製の逆浸透膜であるナノフィルトレーション膜を使用する。
【００２０】
部屋４は、第１の面７ｃと、第１の浸透膜３により画定された第２の面３ａと、第３の面１０ａとを有しており、水溶液Eを収容する。水溶液Eは、吸着体２に吸着された水分よりも高い浸透圧を有するものであれば特に限定されず、本実施形態では塩化ナトリウム、ナトリウム、カリウム、及びカルシウムのいずれかを含む電解質を水に溶解してなる水溶液Eを使用する。
【００２１】
また、部屋４の上には透湿膜１０が設けられる。透湿膜１０は、液相の水が流通するのを阻止して水蒸気のみを選択的に透過させる膜であって、例えばGORE-TEX（登録商標）を透湿膜１０として使用し得る。そして、その透湿膜１０の一方の面は上記の第３の面１０ａを画定し、他方の面は大気に曝される。
【００２２】
その透湿膜１０の上には通気性のある板９が被せられる。板９は、メッシュ状の金属板又は樹脂板であって、透湿膜１０から蒸散する水蒸気がその板９を介して大気中に放出される。
【００２３】
そして、部屋４の第１の面７ｃの下には熱電変換素子２０が設けられる。
【００２４】
熱電変換素子２０は、低温側電極１１と高温側電極１２との間にn型半導体１３とp型半導体１４とを設けてなるπ型の素子である。なお、熱電変換素子２０はこれに限定されず、低温側電極１１と高温側電極１２との温度差で発電する任意の素子を熱電変換素子２０として採用し得る。
【００２５】
低温側電極１１は第１の絶縁性セラミック基板１６を介して上記の第１の面７ｃと熱的に接触し、高温側電極１２は第２の絶縁性セラミック基板１７を介して皮膚Sと熱的に接触する。そして、皮膚Sと水溶液Eとの温度差に応じた１V程度の起電力が低温側電極１１と高温側電極１２との間に発生し、これにより熱電変換素子２０が発電を行うことになる。
【００２６】
なお、容器６内での熱の移動によって熱電変換素子２０における温度差が低減するのを防止するために、容器６と熱電変換素子２０との間に発泡ウレタン等の断熱材５を設けるのが好ましい。
【００２７】
図２は、この熱電変換デバイス１の上面図である。なお、上記した図１は、図２のI−I線に沿う断面図に相当する。
【００２８】
図２に示すように、熱電変換デバイス１は平面視で矩形状であって、上記の板９と透湿膜１０は平面視で一辺の長さが約１cm〜２cmの正方形である。また、容器６は、これらの板９や透湿膜１０の横に設けられており、その幅Aは数mm程度である。
【００２９】
次に、この熱電変換デバイス１の動作について図１を参照しながら説明する。
【００３０】
まず、皮膚Sが発汗することにより、その汗が第１の開口７ａを介して吸着体２に吸着し、吸着体２が湿った状態になる。なお、発汗が僅かな場合であっても、手洗い、入浴、及び雨天時の水を第２の開口７ｂを介して吸着体２に吸着させることで、吸着体２が湿った状態を維持してもよい。
【００３１】
本実施形態では、部屋４内の水溶液Eの浸透圧P1が、吸着体２に吸着された水分の浸透圧P2よりも高くなるように水溶液Eの電解質の濃度を予め設定しておく。これにより、P1＝P2の平衡状態に達するように、吸着体２から部屋４に水分が移動することになる。
【００３２】
なお、上記のようにP1＞P2の場合には浸透圧P2によって透湿膜１０が大気側に膨らもうとするが、その透湿膜１０の膨らみを板９で抑制することができる。
【００３３】
ここで、大気中の水蒸気の蒸気圧が水溶液Eの水の蒸気圧P3よりも小さければ、水溶液Eから水が蒸発してその際の気化熱によって低温側電極１１が冷却されると共に、その水蒸気が透湿膜１０を介して大気に放出される。
【００３４】
このように、この熱電変換デバイス１では吸着体２から透湿膜１０に至る水のパスPが形成され、そのパスPを水が流通することで低温側電極１１を冷却することが可能となる。
【００３５】
また、夏季のように気温が高い場合でも、汗が上記のパスPを通って蒸散することで低温側電極１１を冷却できるため、低温側電極１１と高温側電極１２との温度差を維持することができ、熱電変換素子２０の発電量が低下し難くなる。
【００３６】
更に、長期間の使用によって吸着体２に汗の塩分が析出しても、吸着体２を洗浄したり新品に交換することでその塩分によってパスPが塞がれることもないので、長期にわたって熱電変換素子２０の発電力を高い状態に維持することができる。
【００３７】
しかも、このように吸着体２を交換することにより熱電変換デバイス１の美観を保つことができると共に、熱変換デバイスを衛生面で良好な状態に維持することができる。
【００３８】
次に、水がパスPを流れるためにはどのような環境が良好かについて考察する。
【００３９】
人体から出る汗に含まれる電解質の濃度には様々な説があるが、以下では濃度が０．５wt%であるとする。そして、水溶液Eの浸透圧P2を汗の浸透圧P1よりも高くするために、上記の０．５wt%よりも高い１wt%の濃度の塩化ナトリウム水溶液を上記の水溶液Eとして使用する。この場合、水溶液Eの浸透圧P2は、汗の浸透圧P1の２倍（＝１wt%／０．５wt%）となる。
【００４０】
そのような水溶液Eにおいては、電解質である塩化ナトリウムのモル分率が０．００６となり、Roultの法則が成り立つ程度に十分に低濃度であると仮定できる。モル分率が０．００６の水溶液Eにおいては、水のモル分率は０．９９４（１−０．００６）となるので、Roultの法則に従えばその水溶液Eにける水の蒸気圧は純水のそれよりも０．６%減少する。
【００４１】
よって、大気の相対湿度が０%〜９９．４%の場合であれば透湿膜１０を介して水溶液Eの水が蒸散し、上記のパスPを水が流れて低温側電極１１を冷却することができることになる。
【００４２】
また、本願発明者が行ったシミュレーションによれば、この熱電変換デバイス１における低温側電極１１と大気との間の熱伝達係数は１０００W/m2k程度になることが明らかとなった。この値は、低温側電極１１を大気に放置して大気の自然対流のみで低温側電極１１を冷却する場合の熱伝達係数（５０W/m2k程度）と比較して大きな値である。この結果から、本実施形態では低温側電極１１を十分に冷却し、低温側電極１１と高温側電極１２との温度差を維持できることが明らかとなった。
【００４３】
（第２実施形態）
本実施形態では、以下のようにして低温側電極１１の冷却を促す。
【００４４】
図３は、本実施形態に係る熱電変換デバイスの断面図である。なお、図３において、第１実施形態で説明したのと同じ要素には第１実施形態におけるのと同じ符号を付し、以下ではその説明を省略する。
【００４５】
図３に示すように、本実施形態に係る熱電変換デバイス３０においては、部屋４内に多孔質体３２を設ける。これ以外は第１実施形態と同様である。
【００４６】
多孔質体３２は、その表面に孔３２ａが複数形されており、その孔３２ａ内に水溶液Eが保持される。なお、孔３２ａ内に気泡が生じないように、多孔質体３２の表面を親水化しておくのが好ましい。
【００４７】
また、多孔質体３２の材料は特に限定されないが、水溶液Eの気化熱で低温側電極１１を効率的に冷却するため、銅のように熱伝導性に優れた金属材料で多孔質体３２を形成するのが好ましい。そのような銅の多孔質体としては、例えば、ロータスアロイ株式会社製のロータス型ポーラス金属がある。
【００４８】
このような熱電変換デバイス３０によれば、低温側電極１１と大気との間の熱の移動が多孔質体３２によって促進されるため、水溶液Eの気化熱で低温側電極１１を速やかに冷却して、熱電変換素子２０の発電効率を高めることができる。
【００４９】
（第３実施形態）
本実施形態では、発汗が少ない場合のように水分の供給が難しい場合であっても発電効率が低下するのを抑制することができる熱電変換デバイスについて説明する
図４は、本実施形態に係る熱電変換デバイスの断面図である。なお、図４において、第１実施形態で説明したのと同じ要素には第１実施形態におけるのと同じ符号を付し、以下ではその説明を省略する。
【００５０】
図４に示すように、この熱電変換デバイス４０は、第１の浸透膜３を介して部屋４と隔てられたリザーバ４１と、リザーバ４１と吸着体２とを隔てる第２の浸透膜４２とを有する。
【００５１】
第２の浸透膜４２は吸着体２に接するように設けられており、第１の浸透膜３と同様に日東電工社製のナノフィルトレーション膜を第２の浸透膜４２として使用し得る。
【００５２】
一方、リザーバ４１の内部は、外部との間で空気の流通が遮断された気密空間であって、予め水Wが貯えられる。
【００５３】
また、そのリザーバ４１の底面４１ａは、バネ４３によってリザーバ４１の容積を増大させる方向Bに付勢された可動面であって、リザーバ４１内の気密性を維持するためにリザーバ４１の内面にはテフロン（登録商標）等のシール材４５が設けられる。
【００５４】
次に、この熱電変換デバイス４０の動作について説明する。
【００５５】
図５（ａ）、（ｂ）は、本実施形態に係る熱電変換デバイスの動作について説明するための断面図である。
【００５６】
冬季のように皮膚Sからの発汗が少ない場合や、手洗いや入浴等の機会が少ない場合には、部屋４に移動できる程度の十分な量の水が吸着体２に吸着されない場合がある。
【００５７】
この場合は、図５（ａ）に示すように、リザーバ４１に保持された水WがパスQに沿って第１の浸透膜３を透過し、その水Wの気化熱で低温側電極１１を冷却する。
【００５８】
一方、発汗等で吸着体２に十分な量の水が吸着しているときは、図５（ｂ）に示すように、底面４１ａに作用する付勢力で吸着体２の水がパスRに沿って第２の浸透膜４２を透過してリザーバ４１に至り、リザーバ４１内の水Wが補充される。また、これと同時に、リザーバ４１内の水WがパスQに沿って第１の浸透膜３を通って部屋４に至り、その水Wの気化熱によって低温側電極１１が冷却される。
【００５９】
以上のように、本実施形態によれば、吸着体２が水や汗と接触する機会が少ない場合でも、リザーバ４１に保持された水Wが部屋４に移動することができるので、その水Wの気化熱で低温側電極１１を冷却することができる。
【００６０】
（第４実施形態）
本実施形態では、第１実施形態に係る熱電変換デバイス１を利用したセンサシステムについて説明する。なお、熱電変換デバイス１に代えて、第２実施形態や第３実施形態で説明した熱電変換デバイス３０、４０を用いてもよい。
【００６１】
図６は、本実施形態に係るセンサシステムの機能ブロック図である。
【００６２】
そのセンサシステム５０は、ユーザが装着する端末部５１と、端末部５１から無線送信される情報を元にしてサービスを提供するサービス部５２とを有する。
【００６３】
このうち、端末部５１は、ユーザ本人の体に接触する上記の熱電変換デバイス１、二次電池５３、電源制御部５４、センサ５５、マイクロプロセッサ５６、無線変調部５７、及び第１のアンテナ５８を有する。
【００６４】
電源制御部５４は、熱電変換デバイス１と二次電池５３に接続されており、二次電池５３の充電量が少ない場合には熱電変換デバイス１の電力で二次電池５３を供給する。また、二次電池５３の充電量が十分な場合には、電源制御部５４は、二次電池５３の電力をセンサ５５、マイクロプロセッサ５６、及び無線変調部５７に供給する。
【００６５】
センサ５５は、熱電変換デバイス１により得られた電力によって駆動し、人体の体温、脈拍、及び飽和酸素濃度等のようなユーザの生体情報を測定し、これらの生体情報を含むアナログ値のセンサ信号Sを出力する。なお、生体情報と共に、ユーザが置かれている外気温や湿度のような環境情報をセンサ５５が測定してもよい。
【００６６】
そのセンサ信号Sは、マイクロプロセッサ５６でAD変換された後、無線変調部５７において所定の無線規格に変調されて、第１のアンテナ５８から外部に無線送信される。
【００６７】
一方、サービス部５２は、受信部６１、サーバ６２、及び第２のアンテナ６３を有する。
【００６８】
上記のように第１のアンテナ５８から無線送信されたセンサ信号Sは、第２のアンテナ６３によって受信された後、受信部６１において所定のデータフォーマットに変換されてサーバ６２の記憶部６２ａに格納される。
【００６９】
サーバ６２は、インターネット６６を介してクライアント６７からのリクエストを受け付け、そのレスポンスとしてセンサ信号Sに含まれる情報をクライアント６７に返す。
【００７０】
クライアント６７は、例えばユーザ本人や医療機関である。クライアント６７がユーザ本人の場合には、サーバ６２からのレスポンスによって自己の体温等を知り、それを自己の健康管理に役立てることができる。
【００７１】
また、クライアント６７が医療機関の場合には、サーバ６２からのレスポンスに含まれるユーザの体温等に基づいて、ユーザに対して健康アドバイス等を行うことができる。
【００７２】
上記した本実施形態によれば、端末部５１に設けられた熱電変換デバイス１に対して発汗や手洗い等によって水が供給され、その気化熱で熱電変換デバイス１が発電するので、電池の交換が不要でユーザの便宜に資することができる。
【００７３】
なお、本実施形態は上記に限定されない。
【００７４】
図７は、本実施形態の別の例に係るセンサシステムの機能ブロック図である。なお、図７において、図６に示したのと同じ要素には図６におけるのと同じ符号を付し、以下ではその説明を省略する。
【００７５】
このセンサシステム７０においては、上記のサービス部５２を設けず、かつ、無線変調部５７に代えて記憶部７１を設ける。
【００７６】
記憶部７１は、例えばフラッシュメモリやRF(Radio Frequency)タグであり、上記のセンサ信号Sを記憶する。また、記憶部７１は、端末部５１から取り外し可能な外部メモリでもよいし、端末部５１に内蔵された内部メモリでもよい。
【００７７】
記憶部７１に記憶されたセンサ信号Sは、例えば非接触リーダによってユーザ自身が読み取り、そのセンサ信号Sに含まれる体温等をユーザが把握することができる。
【００７８】
以上説明した各実施形態に関し、更に以下の付記を開示する。
【００７９】
（付記１）  人体に接触して水分を吸着する吸着体と、
前記吸着体に吸着された水分が流通する第１の浸透膜と、
第１の面と、前記第１の浸透膜により画定された第２の面と、第３の面を有し、水溶液を収容した部屋と、
一方の面が前記第３の面を画定し、他方の面が大気に曝された透湿膜と、
前記第１の面に熱的に接触した低温側電極と、人体に熱的に接触する高温側電極とを有する熱電変換素子と、
を備えた熱電変換デバイス。
【００８０】
（付記２）  前記部屋内に設けられ、前記水溶液を保持する多孔質体を更に有することを特徴とする付記１に記載の熱電変換デバイス。
【００８１】
（付記３）  前記第１の浸透膜を介して前記部屋と隔てられ、水を蓄えるリザーバと、
前記リザーバと前記吸着体とを隔てる第２の浸透膜とを更に有し、
前記リザーバが、該リザーバの容積を増大させる方向に付勢された可動面を有し、該リザーバの内側が気密にされたことを特徴とする付記１又は請求項２に記載の熱電変換デバイス。
【００８２】
（付記４）  前記第１の浸透膜が、前記吸着体に接することを特徴とする付記１に記載の熱電変換デバイス。
【００８３】
（付記５）  前記吸着体を保持する容器を更に有し、
前記容器に第１の開口と第２の開口とが形成され、前記第１の開口を介して前記吸着体が人体に接触し、前記第２の開口を介して前記吸着体が大気に曝されることを特徴とする付記１乃至付記４のいずれかに記載の熱電変換デバイス。
【００８４】
（付記６）  前記透湿膜の上に被せられた通気性を有する板を更に有することを特徴とする付記１乃至付記５のいずれかに記載の熱電変換デバイス。
【００８５】
（付記７）  前記熱電変換素子と前記容器との間に設けられた断熱材を更に有することを特徴とする付記１乃至付記６のいずれかに記載の熱電変換デバイス。
【００８６】
（付記８）  熱電変換デバイスと、
前記熱電変換デバイスにより得られた電力によって駆動し、ユーザに関する情報を含むセンサ信号を出力するセンサと、
前記センサ信号を無線送信するアンテナとを有し、
前記熱電変換デバイスが、
人体に接触して水分を吸着する吸着体と、
前記吸着体に吸着された水分が流通する第１の浸透膜と、
第１の面と、前記第１の浸透膜により画定された第２の面と、第３の面とを有し、水溶液を収容した部屋と、
一方の面が前記第３の面を画定し、他方の面が大気に曝された透湿膜と、
前記第１の面に熱的に接触した低温側電極と、人体に熱的に接触する高温側電極とを有する熱電変換素子とを備えたセンサシステム。
【００８７】
（付記９）  前記アンテナから無線送信された前記センサ信号を受信して、該センサ信号に含まれる前記情報をクライアントに提供するサービス部を更に有することを特徴とする付記８に記載のセンサシステム。
【００８８】
（付記１０）  前記情報は、外気温と湿度のいずれか、若しくは人体の体温、脈拍、及び飽和酸素濃度のいずれかを含むことを特徴とする付記９に記載のセンサシステム。
【００８９】
（付記１１）  熱電変換デバイスと、
前記熱電変換デバイスにより得られた電力によって駆動し、ユーザに関する情報を含むセンサ信号を出力するセンサと、
前記センサ信号を記憶する記憶部とを有し、
前記熱電変換デバイスが、
人体に接触して水分を吸着する吸着体と、
前記吸着体に吸着された水分が流通する第１の浸透膜と、
第１の面と、前記第１の浸透膜により画定された第２の面と、第３の面とを有し、水溶液を収容した部屋と、
一方の面が前記第３の面を画定し、他方の面が大気に曝された透湿膜と、
前記第１の面に熱的に接触した低温側電極と、人体に熱的に接触する高温側電極とを有する熱電変換素子とを備えたセンサシステム。
【符号の説明】
【００９０】
１、３０、４０…熱電変換デバイス、２…吸着体、３…第１の浸透膜、３ａ…第２の面、４…部屋、５…断熱材、６…容器、７…筐体、７ａ…第１の開口、７ｂ…第２の開口、７ｃ…第１の面、９…板、１０…透湿膜、１０ａ…第３の面、１１…低温側電極、１２…高温側電極、１３…n型半導体、１４…p型半導体、１６…第１の絶縁性セラミック基板、１７…第２の絶縁性セラミック基板、２０…熱電変換素子、３２…多孔質体、３２ａ…孔、４１…リザーバ、４１ａ…底面、４２…第２の浸透膜、４３…バネ、４５…シール材、５０、７０…センサシステム、５１…端末部、５２…サービス部、５３…二次電池、５４…電源制御部、５５…センサ、５６…マイクロプロセッサ、５７…無線変調部、５８…第１のアンテナ、６１…受信部、６２…サーバ、６３…第２のアンテナ、６２ａ、７１…記憶部、６６…インターネット、６７…クライアント。
【図１】
2014135408.tif 000003
【図２】
2014135408.tif 000004
【図３】
2014135408.tif 000005
【図４】
2014135408.tif 000006
【図５】
2014135408.tif 000007
【図６】
2014135408.tif 000008
【図７】
2014135408.tif 000009